(57)【特許請求の範囲】
【請求項１】
商品の側面を略水平にして商品を上下方向に積み上げて収納する商品通路を形成する左右に対向した側板と、前記商品通路の下端に備えた商品搬出装置と、前記側板間で前記商品通路の幅を可変できる通路幅調整板と、投入口から前記商品通路の上端まで商品を案内する投入商品案内板と、前記投入商品案内板上で前記通路幅調整板と連動し商品の大きさによって商品案内幅を調整可能とした投入口幅調整部材とを備えた商品収納装置において、前記投入口幅調整部材は、断面がＬ字状になるように折り曲げられて前記投入商品案内板の上面と対向する底面部と商品を左右方向にガイドする側面部を形成する本体と、前記側面部の下端と下端曲げ部でつながって前記下端曲げ部よりも後方に突出し前記側面部の後部と共に前記通路幅調整板を挟み込む係合部となる爪部とを備え、
前記爪部は、前記下端曲げ部で前記商品通路の外側に上方に折り返されて前記側面部に略密着される密着部を備えたことを特徴とする自動販売機の商品収納装置。
【請求項２】
前記爪部は、前記側面部の後部との間に前記通路幅調整板を挟み込むための空間を形成する離間部を備えたことを特徴とする請求項１に記載の自動販売機の商品収納装置。
【請求項３】
前記密着部を、前記側面部にカシメ固定したことを特徴とする請求項２に記載の自動販売機の商品収納装置。
【請求項４】
前記投入口幅調整部材の側面後端から前方へビードを形成し、前記ビードは少なくとも前記係合部に跨って設けたことを特徴とする請求項１から３のいずれか一項に記載の自動販売機の商品収納装置。
【請求項５】
前記投入口幅調整部材の側面上辺を折り曲げた折曲部を形成し、前記折曲部は少なくとも前記係合部に跨って設けたことを特徴とする請求項１から３のいずれか一項に記載の自動販売機の商品収納装置。
【請求項６】
前記爪部の前後方向にビードを設けたことを特徴とする請求項１から５のいずれか一項に記載の自動販売機の商品収納装置。
【発明の詳細な説明】
【技術分野】
【０００１】
本発明は、缶、瓶商品またはＰＥＴ容器の商品を販売する自動販売機の商品収納装置に関するものである。
【背景技術】
【０００２】
従来、この種の自動販売機の商品収納装置は、本体内部にサーペンタイン式の商品通路が前後方向に複数列設けられており、その商品通路には、缶、瓶またはＰＥＴ容器などの商品が横になった状態で縦列に収納され、これらの商品は商品通路の下端に設けられた商品搬出装置によって、販売指令にもとづいて販売されるようになっている（例えば、特許文献１参照）。
【０００３】
図７は特許文献１に記載された従来の自動販売機の商品収納装置の側面図。図８は特許文献１に記載された従来の自動販売機の商品収納装置の投入商品案内板部の平面図である。図９は特許文献１に記載された従来の自動販売機の商品収納装置の商品案内板部の側面図である。
【０００４】
図７から図９に示すように、商品の側面を水平にして商品を上下方向に収納する商品通路１０１と、商品通路１０１を形成する左右に対向する２つの側板１０２と、側板１０２間に形成される商品通路１０１の下端に商品を１本ずつ払い出す商品搬出装置１０３と、商品通路１０１を挟んで通路規制板１０４と、商品通路１０１の上端に商品を入れる商品投入口１０５と、商品投入口１０５から入れられた商品を商品通路１０１に案内するために設けられた投入商品案内板１０６と、側板１０２間に配置され、一方の側板１０２との間で商品通路１０１の横幅を水平移動調整可能に設けられた通路幅調整板１０７と、通路幅調整板１０７の上端部と連結させて商品投入口１０５上に商品の大きさにより横幅を調整固定可能に設けた投入口幅調整部材１０８が配置されている。
【０００５】
通路幅調整板１０７の上端部は投入口幅調整部材１０８の後端縁部から後方に向けて突出するように左右に分離して形成される二股状の係止め突起１０８ａ、１０８ｂ間に挟まれることで投入口幅調整板１０８に係合し、商品投入口１０５部の投入口幅調整部材１０８を左右に移動固定させることで、通路幅調整板１０７が連動し商品通路１０１の幅を調整できる。
【先行技術文献】
【特許文献】
【０００６】
【特許文献１】特開２００９−１５７３１号公報
【発明の概要】
【発明が解決しようとする課題】
【０００７】
しかしながら、上記従来の構成では、通路幅調整板１０７の上端部を係合している投入口幅調整部材１０８の係止め突起１０８ａ、１０８ｂが二股状に上下に分離し幅が小さく、通路幅調整板１０７が商品通路１０１に積み上げられた商品から受ける荷重を受けても通路幅が大きくならないよう維持するためには、投入口幅調整部材１０８を厚い鋼板で構成しなければならず、材料コストが高いという課題を有していた。
【０００８】
本発明は、上記従来の課題を解決するもので、投入口幅調整部材を薄い鋼板で構成しても、材料・製造コストが安価で、かつ、変形することなくスムーズに設定をすることができる自動販売機の商品収納装置を提供することを目的とする。
【課題を解決するための手段】
【０００９】
上記従来の課題を解決するために、本発明の自動販売機の商品収納装置は、商品の側面を略水平にして商品を上下方向に積み上げて収納する商品通路を形成する左右に対向した側板と、前記商品通路の下端に備えた商品搬出装置と、前記側板間で前記商品通路の幅を可変できる通路幅調整板と、投入口から前記商品通路の上端まで商品を案内する投入商品案内板と、前記投入商品案内板上で前記通路幅調整板と連動し商品の大きさによって商品案内幅を調整可能とした投入口幅調整部材とを備えた商品収納装置において、前記投入口幅調整部材は、断面がＬ字状になるように折り曲げられて前記投入商品案内板の上面と対向する底面部と商品を左右方向にガイドする側面部を形成する本体と、前記側面部の下端と下端曲げ部でつながって前記下端曲げ部よりも後方に突出し前記側面部の後部と共に前記通路幅調整板を挟み込む係合部となる爪部とを備え、前記爪部は、前記下端曲げ部で前記商品通路の外側に上方に折り返されて前記側面部に略密着される密着部を備えたものである。
【００１０】
これによって、通路幅調整板を挟み込み係止する係合部の幅を大きく設けることができ、また、局部的な強度低下もなく薄い鋼板で構成することができる。さらに、投入口幅調整部材の本体部と一体形成した爪部を折り曲げて構成したことにより、強度を確保した上で、不要な材料を減らせることで歩留りを良くすることができる。
【発明の効果】
【００１１】
本発明の自動販売機の商品収納装置によれば、投入口幅調整部材を薄い鋼板で構成しても、強度を確保した上で、材料、製造コストを安価にすることができる。
【図面の簡単な説明】
【００１２】
【図１】本発明の実施の形態１における自動販売機の商品収納装置の斜視図
【図２】同実施の形態における自動販売機の商品収納装置の投入商品案内板部の上視平面図
【図３】同実施の形態における自動販売機の商品収納装置の投入商品案内板部の側面図
【図４】同実施の形態における自動販売機の商品収納装置の投入商品案内板部の要部側面図
【図５】同実施の形態における自動販売機の商品収納装置の投入口幅調整部材の要部斜視図
【図６】同実施の形態における自動販売機の商品収納装置の投入口幅調整部材の折り返す前の平面図
【図７】従来の自動販売機の商品収納装置の側面図
【図８】従来の自動販売機の商品収納装置の投入商品案内板部の平面図
【図９】従来の自動販売機の商品収納装置の商品案内板部の側面図
【発明を実施するための形態】
【００１３】
請求項１に記載の発明は、商品の側面を略水平にして商品を上下方向に積み上げて収納する商品通路を形成する左右に対向した側板と、前記商品通路の下端に備えた商品搬出装置と、前記側板間で前記商品通路の幅を可変できる通路幅調整板と、投入口から前記商品通路の上端まで商品を案内する投入商品案内板と、前記投入商品案内板上で前記通路幅調整板と連動し商品の大きさによって商品案内幅を調整可能とした投入口幅調整部材とを備えた商品収納装置において、前記投入口幅調整部材は、断面がＬ字状になるように折り曲げられて前記投入商品案内板の上面と対向する底面部と商品を左右方向にガイドする側面部を形成する本体と、前記側面部の下端と下端曲げ部でつながって前記下端曲げ部よりも後方に突出し前記側面部の後部と共に前記通路幅調整板を挟み込む係合部となる爪部とを備え、前記爪部は、前記下端曲げ部で前記商品通路の外側に上方に折り返されて前記側面部に略密着される密着部を備えたものであり、投入口幅調整部材を薄い鋼板で構成しても、強度を確保した上で、材料、製造コストを安価にすることができる。
【００１４】
請求項２に記載の発明は、請求項１に記載の発明において、前記爪部は、前記側面部の後部との間に前記通路幅調整板を挟み込むための空間を形成する離間部を備えたものであり、強度を確保した上で、通路幅調整板を確実に係合することができる。
【００１５】
請求項３に記載の発明は、請求項２に記載の発明において、前記密着部を、前記側面部にカシメ固定したものであり、より強度を確保した上で、材料、製造コストを安価にすることができる。
【００１６】
請求項４に記載の発明は、請求項１から３のいずれか一項に記載の発明において、前記投入口幅調整部材の側面後端から前方へビードを形成し、前記ビードは少なくとも前記係合部に跨って設けたものであり、さらに強度を確保した上で、材料、製造コストを安価にすることができる。
【００１７】
請求項５に記載の発明は、請求項１から３のいずれか一項に記載の発明において、前記投入口幅調整部材の側面上辺を折り曲げた折曲部を形成し、前記折曲部は少なくとも前記係合部に跨って設けたものであり、さらに強度を確保した上で、材料、製造コストを安価にすることができる。
【００１８】
請求項６に記載の発明は、請求項１から５のいずれか一項に記載の発明において、前記爪部の前後方向にビードを設けたものであり、さらに爪部の強度を確保した上で、材料、製造コストを安価にすることができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における自動販売機の商品収納装置の斜視図である。図２は、同実施の形態における自動販売機の商品収納装置の投入商品案内板部の上視平面図である。図３は、同実施の形態における自動販売機の商品収納装置の投入商品案内板部の側面図である。図４は、同実施の形態における自動販売機の商品収納装置の投入商品案内板部の要部側面図である。図５は、同実施の形態における自動販売機の商品収納装置の投入口幅調整部材の要部斜視図である。図６は、同実施の形態における自動販売機の商品収納装置の投入口幅調整部材の折り返す前の平面図である。
【００２１】
図１から図６において、商品収納装置は、側板２間に上下方向に蛇行したサーペンタイン式の商品通路１を前後方向に複数列形成し、各商品通路１の下端には商品通路１を挟んで商品搬出装置３と通路規制板４が設けられている。
【００２２】
商品通路１の上方には、前方から商品を入れる商品投入口５と、商品投入口５から入れられた商品を商品通路１に案内するために商品通路１に向かって傾斜し、側板２間に架設される投入商品案内板６を備えている。
【００２３】
また、投入商品案内板６には、側板２間に配置され、一方の側板２との間で商品通路１の横幅を水平移動調整可能に設けられた通路幅調整板７の上端部と連結させて商品投入口５上に商品の大きさにより横幅を調整固定可能な投入口幅調整部材８を備えている。
【００２４】
そして、投入口幅調整部材８は、通路幅調整板７との連結部以外の略前後方向全域をＬ字断面状に形成している。
【００２５】
また、投入商品案内板６には前端部の側板２間略全域に下方に向いてカーリング９と、カーリング９の後方にカーリング９と平行で左右方向に長くなるよう長穴１０と、長穴１０の後方に前後方向に向かって長くなるよう設定穴１１が左右方向に複数設けられている。  また、通路幅調整板７は上部を挿通するよう側板２間に略水平に設けられたピン１２
にガイドされ、一方の側板２と通路幅調整板７間に設けられたリンク機構で水平移動可能に構成されている。
【００２６】
また、投入口幅調整部材８は前端部を投入商品案内板６のカーリング９に回動可能に外嵌するよう形成したＵ字曲げ１４と、投入商品案内板６の長穴１０に前方上側から挿通され下に凸となるように長穴１０と略平行に設けたＺ曲げ１５と、投入商品案内板６の設定穴１１に挿入係止め可能に設けた切起し１６とを備えている。
【００２７】
また、図６に示すように、投入口幅調整部材８の後部で通路幅調整板７を挟み込む係合部は、投入口幅調整部材８の本体部幅方向に一体形成した折返し爪１８を下端曲げ部１７で外側に折り曲げて本体と略密着する密着部２５を備えている。
【００２８】
具体的には、通路幅調整板７を挟み込み、係止め可能になるよう後部を下端曲げ部１７で商品通路１と反対側に略密着曲げになるよう密着部２５を折返し、後方向に向いて商品通路１と反対側に凸となるよう離間部を設け、Ｚ断面状に折返し爪１８を形成している。
【００２９】
そして、投入口幅調整部材８の折返し爪１８と対向した下端曲げ部１７上方の商品通路１側は、商品を左右方向にガイドするガイド面１９を形成している。
【００３０】
また、略密着曲げした密着部２５には、商品通路１と反対側に凸となるように円形のカシメ固定２０を施している。
【００３１】
また、ガイド面１９上に後端から前方に向かって、少なくとも折返し爪１８、および密着部２５を跨ぎ、投入口幅調整部材８の前後略中央部まで、商品通路１と反対側に凸となるよう前後方向に連続してビード２１を形成している。
【００３２】
また、投入口幅調整部材８のガイド面１９上端でビード２１の上方縁部に後端から少なくとも折返し爪１８、および密着部２５を跨ぎ、連続して商品通路１と反対側に折返し設けられた折曲部２２を形成している。
【００３３】
また、折返し爪１８の前後方向全域に商品通路１と反対側に中央が凸となるよう設けられたビード２３を全長に亘って設けている。
【００３４】
また、折返し爪１８のＺ断面部根元には三角リブ２４を設け補強を施している。
【００３５】
以上のように構成された自動販売機の商品収納装置の投入口幅調整部材８について、以下その設定と動作を説明する。
【００３６】
投入商品案内板６の幅調整をする際、投入口幅調整板８は、投入商品案内板６のカーリング９に外嵌する前端のＵ字曲げ１４を回転軸にＺ曲げ１５を上方向に持上げることで投入商品案内板６上の設定穴１１に挿入設定されていた切起し１６が解除される。
【００３７】
そして、後方の折返し爪１８とガイド面１９に挟み込まれた通路幅調整板７を連動させ、投入商品案内板６のカーリング９と長穴１０に案内されるように左右方向にスムーズに移動設定できる。
【００３８】
設定後は、商品投入口５から商品を投入し、通路幅調整板７が商品通路１に積み上げられた商品から荷重を受けるが、投入口幅調整部材８の後部で通路幅調整板７を挟み込む係合部は、投入口幅調整部材８の本体部幅方向に一体形成した折返し爪１８を下端曲げ部１７で外側に折り曲げて本体と略密着する密着部２５を備えているので、通路幅が大きくな
らないよう投入口幅調整部材８の折返し爪１８が変形することなく維持できる。
【００３９】
また、投入口幅調整部材８の後方向に向いて商品通路１と反対側に凸となるよう離間部を設け、Ｚ断面状に折返し爪１８を形成しているので、強度を確保した上で、通路幅調整板７を確実に係合することができる。
【００４０】
また、略密着曲げした密着部２５には、商品通路１と反対側に凸となるように円形のカシメ固定２０を施しているので、より強度を確保した上で、材料、製造コストを安価にすることができる。
【００４１】
以上のように本実施の形態においては、通路幅調整板７を挟み込み、係り止め可能になるよう投入口幅調整部材８の後部を下端曲げ部１７で商品通路１と反対側に折返し設けた折返し爪１８と、折返し爪１８と投入口幅調整部材８のガイド面１９を開口することなく略密着にカシメ固定２０を設けたことにより、通路幅調整板７を挟み込み係止めする折返し爪１８の幅を大きく設けることができ、また、開口せずにカシメ固定２０を設けることで局部的な強度低下もなく薄い鋼板で構成することができる。さらに、折返し爪１８を下端で折り返し構成したことで、歩留りが良く、捨てる材料を増大させることなく強度確保ができ、変形することなくスムーズに設定することができる。
【００４２】
なお、投入口幅調整部材８の折返し爪１８を展開形状で四角形状になるよう下側から折り曲げて構成したことで、材料の歩留りが良くなるだけでなく、金型を小さくでき、投資抑制を図れる。
【００４３】
また、本実施の形態において、ガイド面１９上に後端から前方に向かって、少なくとも折返し爪１８、および密着部２５を跨ぎ、投入口幅調整部材８の前後略中央部まで、商品通路１と反対側に凸となるよう前後方向に連続してビード２１を形成しているので、後方のＬ字断面となっていない投入口幅調整部材８のガイド面１９における強度を上げることができ、さらに投入口幅調整部材８を薄い鋼板で構成しても変形することなくスムーズに設定することができる。
【００４４】
また、投入口幅調整部材８のガイド面１９上端でビード２１の上方縁部に後端から少なくとも折返し爪１８、および密着部２５を跨ぎ、連続して商品通路１と反対側に折返し設けられた折曲部２２を形成しているので、後方のＬ字断面となっていない投入口幅調整部材８のガイド面１９の上端部における強度を上げることができ、さらに投入口幅調整部材８を薄い鋼板で構成しても変形することなくスムーズに設定することができる。
【００４５】
また、折返し爪１８の前後方向全域に商品通路１と反対側に中央が凸となるよう設けられたビード２３を全長に亘って設けているので、折返し爪１８の強度を上げることができ、通路幅調整板７が商品通路１に積み上げられた商品から受ける荷重を受けても通路幅が大きくならず、さらに投入口幅調整部材８を薄い鋼板で構成でき、変形することなくスムーズに設定することができる。
【産業上の利用可能性】
【００４６】
以上のように、本発明にかかる自動販売機の商品収納装置は、投入口幅調整部材を薄い鋼板で構成しても、強度を確保した上で、材料、製造コストを安価にすることができるので、投入口幅調整部材を備えたあらゆる自動販売機器の用途に適用できる。
【符号の説明】
【００４７】
１  商品通路
２  側板
３  商品搬出装置
４  通路規制板
５  商品投入口
６  投入商品案内板
７  通路幅調整板
８  投入口幅調整部材
１７  下端曲げ部
１８  折返し爪
１９  ガイド面
２０  カシメ固定
２１、２３  ビード
２２  折曲部
２５  密着部
【図１】
0005716160.tif 000002
【図２】
0005716160.tif 000003
【図３】
0005716160.tif 000004
【図４】
0005716160.tif 000005
【図５】
0005716160.tif 000006
【図６】
0005716160.tif 000007
【図７】
0005716160.tif 000008
【図８】
0005716160.tif 000009
【図９】
0005716160.tif 000010